(57)【要約】【課題】押し込むのみで余分な手間を掛けずに遊技盤が装着でき簡単に組立作業が行なえ、しかも、遊技盤ががたつくことなくしっかりと固定されることから、安定した球飛び状態が確保できる弾球遊技機を提供する。【解決手段】遊技機本体１側の前面に遊技盤４をその前側から着脱自在に装着し得る収容凹部２１を成形した弾球遊技機Ｐであって、前記収容凹部２１の一側縁に設けられ遊技盤４の一側端部が差し込まれる差込部２６と、収容凹部２１の他側縁に設けられ遊技盤４の他側端部を固定する回動機構部２７とを備え、回動機構部２７は、遊技機本体１側の前側から操作し得る操作部材３２ｃと、操作部材３２ｃの作動により上下方向へ回動しかつ遊技盤４を向かい受ける傾動位置と該遊技盤４を固定する垂直位置とで停止保持し得る嵌合部材３２ｂと、を有する。【選択図】図７
2005168679.tif 000002
【特許請求の範囲】
【請求項１】
遊技機本体側の前面に遊技盤をその前側から着脱自在に装着し得る収容凹部を成形した弾球遊技機であって、前記収容凹部の一側縁に設けられ前記遊技盤の一側端部が差し込まれる差込部と、前記収容凹部の他側縁に設けられ前記遊技盤の他側端部を固定する回動機構部とを備え、
前記回動機構部は、前記遊技機本体側の前側から操作し得る操作部材と、前記操作部材の作動により上下方向へ回動しかつ前記遊技盤を向かい受ける傾動位置と該遊技盤を固定する垂直位置とで停止保持し得る嵌合部材と、を有することを特徴とする弾球遊技機。
【請求項２】
前記遊技盤の裏側と前記遊技機本体側の前面に、互いに対向位置し前記遊技盤の着脱動作に伴い電気的に接続状態または非接続状態とし得る一対の接続部材を配置し、少なくともいずれか一方の接続部材は接続方向に対し直交する面内で移動自在に設けられている請求項１記載の弾球遊技機。
【発明の詳細な説明】
【技術分野】
【０００１】
本発明は、遊技機本体側の前面に遊技盤をその前側から着脱自在に装着し得るようにした弾球遊技機に関するものである。
【背景技術】
【０００２】
従来、弾球遊技機の一種であるパチンコ機として、この種遊技盤を前側から着脱自在に装着し得るようにしたものがある。すなわち、このパチンコ機は、前枠前面の左右各側縁に遊技盤を固定するためのフック部材および上下一対のフック部材がそれぞれ設けられている。前記一方のフック部材は、Ｔ型の断面を有し前枠の前面に固定されている。また、前記他方の各フック部材は、前枠から前方へ突出し先端部に遊技盤の右側端部に係合する係合部を有するフック部からなり、収納されるスプリングにより常に遊技盤の側端部を押える方向へ回動付勢されている。
【０００３】
そして、遊技盤の左側端部をフック部材に引っ掛けるようにし、次いで、一対のフック部材のフック部をそれぞれ手で摘んで外側へ開き、この状態で遊技盤の右側端部を押し込め手を離すと、フック部が自動的に回動してその係合部が遊技盤の右側端部に係合してロックする。これにより、遊技盤が装着されるようになっている（例えば、特許文献１参照。）。
【特許文献１】特開平６−４７１５７号（第４−５頁、図２、図３、図４）
【発明の開示】
【発明が解決しようとする課題】
【０００４】
しかしながら、前記特許文献１のパチンコ機では、前枠前面の右側縁上下部に設けられた各フック部材が、遊技盤を装着していないときスプリングにより常に遊技盤側に付勢されて傾動していることから、遊技盤を装着するときはその邪魔にならないように必ず前記各フック部材を手で一旦外側へ傾動させたままにしておく必要がある。このため、遊技盤を支える手がおろそかになり遊技盤が装着しにくいばかりか、余分な手間も掛かりその作業が面倒である。また、前記上下一対のフック部材は、フック部が平板状をなしていることから、湾曲したり破損する可能性が高く、このような状態になると前枠に装着した遊技盤ががたつき、しっかり固定できないばかりか例えば球飛び状態を不安定にさせる要因になりかねないという課題がある。
【０００５】
そこで、本発明は上記課題に鑑みてなされたもので、余分な手間を掛けずに押し込むのみで遊技盤が装着でき簡単に組立作業が行なえ、しかも、遊技盤ががたつくことなくしっかりと固定されることから、安定した球飛び状態が確保できる弾球遊技機を提供することを目的とするものである。
【課題を解決するための手段】
【０００６】
かかる目的を達成するため本発明に係る弾球遊技機は、遊技機本体側の前面に遊技盤をその前側から着脱自在に装着し得る収容凹部を成形した弾球遊技機であって、前記収容凹部の一側縁に設けられ遊技盤の一側端部が差し込まれる差込部と、収容凹部の他側縁に設けられ遊技盤の他側端部を固定する回動機構部とを備え、回動機構部は、遊技機本体側の前側から操作し得る操作部材と、操作部材の作動により上下方向へ回動しかつ遊技盤を向かい受ける傾動位置と該遊技盤を固定する垂直位置とで停止保持し得る嵌合部材と、を有する構成からなる。
【０００７】
また、前記遊技盤の裏側と前記遊技機本体側の前面に、互いに対向位置し遊技盤の着脱動作に伴い電気的に接続状態または非接続状態とし得る一対の接続部材を配置し、少なくともいずれか一方の接続部材は接続方向に対し直交する面内で移動自在に設けられていることが好ましい。
【発明の効果】
【０００８】
請求項１記載の発明にあっては、嵌合部材が遊技機本体側の前側から操作し得る操作部材の作動により上下方向へ回動しかつ遊技盤を向かい受ける傾動位置と該遊技盤を固定する垂直位置とで停止保持し得るようにしたので、遊技盤を収容凹部に押し込むのみで前記嵌合部材が自動的に遊技盤の側端部に嵌合して遊技盤を固定することとなり、簡単に組立作業が行なえる。また、遊技盤はしっかりと固定され、安定した球飛び状態も確保できるという効果がある。
【０００９】
また、請求項２記載の弾球遊技機のように、前記遊技盤の裏側と遊技機本体側の前面に、互いに対向位置し遊技盤の着脱動作に伴い電気的に接続状態または非接続状態とし得る一対の接続部材を配置し、少なくともいずれか一方の接続部材は接続方向に対し直交する面内で移動自在に設けられるようにすれば、遊技盤の装着と同時に両接続部材が自動的に接続されることになって従来のような遊技盤装着時の配線接続作業が不要となる。これにより、例えば従来起きていたコネクターの差し忘れといったこともなくなるばかりかパチンコ機組立上の作業効率が格段に向上するという効果がある。
【発明を実施するための最良の形態】
【００１０】
以下、本発明に係る弾球遊技機の実施の形態を図面と共に説明する。なお、パチンコ機、アレンジボール機、雀球遊技機等の弾球遊技機のうち、本発明はその一例であるパチンコ機について説明する。図１はパチンコ機の正面図、図２は同透明板保持枠を開いた状態の斜視図、図３は同透明板保持枠を開き遊技盤を外した状態の斜視図である。
【００１１】
図において、１は遊技機本体であり、縦長方形枠状に成形される外枠２とその前面の一側に回動自在に軸着される金属製の前枠３とからなる。前枠３には、後で詳述するようにその上部前面に遊技盤４が装着される。また、前枠３の前面の一側に透明板保持枠５が軸着される。この透明板保持枠５は、前枠３の上部と共に下部までも覆う大きさであって前枠３の前面全体を覆うようにしている。そして、透明板保持枠５の上部に前記遊技盤４が臨む窓開口６が開設され、この窓開口６には透明板である２枚のガラス板７が嵌着される。また、透明板保持枠５の下部前面には打球発射部へ供給されるパチンコ球を貯留する打球供給皿８が装着され、その下方に該打球供給皿８から溢れるパチンコ球を貯留する余剰球貯留皿９が設けられる。１０は、該余剰球貯留皿９の一側に設けられ打球の打球力を調節するための操作ハンドルである。
【００１２】
前記遊技盤４の前面に、遊技部４ａを囲うようにして内側ガイドレール１１ａと外側ガイドレール１１ｂとが渦巻状に敷設される。この遊技部４ａには、例えばその中央に表示部１２ａを有する可変表示装置１２が配置される。また、該可変表示装置１２の下方にはパチンコ球が入賞することにより、可変表示装置１２の表示部１２ａに表示される数字、記号等の情報を変動表示させる始動入賞口１３が設けられる。更に、その下方に前記変動した表示が一定の時間経過後に停止して特定の表示（例えば「７７７」）を示し、遊技者にとって有利な特別遊技状態になったとき、一定の条件の下で開閉扉１４を所定回数開成させ一度に多くの入賞球が得られるようにした入賞装置１５が配設されている。遊技部４ａの適宜位置に一般入賞口１６や風車１７等の他の盤面部品が配置される。
【００１３】
一方、遊技盤４の裏面に前記可変表示装置１２の後部を覆うようにしてカバー１８が被着される。また、遊技盤４の裏面一側に、上部に二箇所、下部に一個所それぞれ接続部材として入力側のコネクター１９が設けられている。図示は省略するが、これらコネクター１９は、遊技盤４の前面に装着される可変表示装置１２や各種電飾装置等の盤面部品と配線により電気的に接続される。同じく遊技盤４の裏面のコネクター１９側であって上下位置に、装着される遊技盤４を正位置に配置するための位置決め孔２０がそれぞれ穿設されている。
【００１４】
前記前枠３の前面上部には、遊技盤４をその前側から着脱自在に装着し得る方形状の収容凹部２１が成形される。該収容凹部２１の後面は、前枠３に一体に設けられる枠板２２により覆われ、該枠板２２に大型の開口２３が開設されている。この開口２３は、前記可変表示装置１２のように大型化してその後部が遊技盤４の後側から後方へ突出するような場合、その分を逃がすためでありまた修理をし易くするためでもある。収容凹部２１の底面は遊技盤４の下端部を支持する棚受部２４として成形され、両側縁内面にはそれぞれ遊技盤４の両側端部裏面が当接する段部２５が設けられている。
【００１５】
そして、前記収容凹部２１の一側縁、すなわち図３の向かって左側の上下部にそれぞれ遊技盤４の一側端部が側方から差し込まれる差込部２６が設けられる。これと対向する他側縁、すなわち図３の向かって右側の上下部にそれぞれ遊技盤４の他側端部であってその上・下側端部に嵌着して遊技盤４を固定する回動機構部２７が配置されている。また、これと同じ側であって枠板２２の所定位置に前記入力側の各コネクター１９と対向位置して接続部材である出力側のコネクター２８が配置され、また前記各位置決め孔２０と対向位置して位置決めピン２９が配置されている。このコネクター２８にはフローティングコネクターが使用されるが、逆に前記遊技盤４側のコネクター１９にフローティングコネクターを使用するか、または両コネクター１９，２８に共にフローティングコネクターを使用するようにしても良い。フローティングコネクターは接続方向に対し直交する面内で移動自在に設けられており、互いの接続を安全かつ確実に行なえるようにするためのもので、遊技盤４が上下または左右にずれた場合にも、両コネクター１９，２８が確実に接続できるようにしている。また、図示は省略するが、前記コネクター２８も前枠３の裏側に装着される制御基盤に配線により電気的に接続される。
【００１６】
前記各差込部２６は、図４に示すように収容凹部２１の側縁内面の前端部に設けられ遊技盤４の前面を受ける当接部３０と、基端部が段部２５に固着され先端側が中央へほぼ水平に伸びかつその先端部が遊技盤４をその裏側から前方へ押すバネ板３１からなる。前記当接部３０と段部２５との間隔は遊技盤４の厚みよりも僅かに広い寸法に設定してある。
【００１７】
前記各回動機構部２７は、上下対称となるように配置されていることから、便宜上上部の回動機構部２７について説明する。この回動機構部２７はすべて断面コ字状をなす金属製の部材からなり、図５に示すように前枠３の前面に固着される固定部材３２ａと、遊技盤４の上側端部に嵌合する嵌合部材３２ｂと、該嵌合部材３２ｂを作動させる操作部材３２ｃとから構成される。
【００１８】
更に詳しく説明すると、前記固定部材３２ａは一対の平行な側板３３が前方へ突出しており、上部両側にそれぞれリンク板３４が水平な固定軸３５により上下に回動自在に軸支されると共に下部には嵌合部材３２ｂがその中央部を固定軸３６により軸支され上下方向へ自在に回動するようになっている。嵌合部材３２ｂは、ほぼ中央部で互いに重なる前側脚３７ａと後側脚３７ｂとにより側面が門型に成形され、互いに重なる部分に前記固定軸３６の外径より大きい内径を有し遊嵌される軸孔３８が開設されている。
また、前記後側脚３７ｂの前端面３７ｃは前方へ突出する弧面に成形される。これは、この前端面３７ｃが遊技盤４の後面を受け止めることから、それにより嵌合部材３２ｂの動作が円滑に行なえるようにするためである。
【００１９】
操作部材３２ｃの中央部両側に前記両リンク板３４が可動軸３９により軸支され、下部両側が嵌合部材３２ｂにおける前・後側脚３７ａ，３７ｂの互いに重なる部分の前部両側に可動軸４０により軸支されている。また、この前部両側の可動軸４０にはバネ棒４１が巻回され、その一端４１ａが固定部材３２ａと両前・後側脚３７ａ，３７ｂとを軸支する固定軸３６の上面に当接し、他端４１ｂが前側脚３７ａにおける前側の支持板部４２前面に当接している。そして、前側脚３７ａが操作部材３２ｃとを軸支する可動軸４０を中心として遊技盤４の前面に当接して該遊技盤４を常に後方へ押すように弾発付勢されている。これは、遊技盤４が装着された状態で、該遊技盤４の前後のがたつきを抑えるためである。そして、操作部材３２ｃを中央の可動軸３９を中心として下方へ回動させると、嵌合部材３２ｂが固定軸３６を中心として上方向へ回動し固定部材３２ａの側板３３に設けた停止板４３に当接して遊技盤４を向かい受ける傾動位置で停止保持される。一方、操作部材３２ｃを上方へ回動させると、嵌合部材３２ｂが固定軸３６を中心として下方向へ回動し垂直位置で停止保持されるようになっている。ちなみに、実際は遊技盤４を押し込むことにより、その上側端部または下側端部が各上下に位置する嵌合部材３２ｂを下方または上方へ回動させ、これに伴い各操作部材３２ｃも固定部材３２ａ側へ回動して垂直姿勢を保つ。このとき前記前側脚３７ａと後側脚３７ｂ間に遊技盤４の上側端部が嵌入して遊技盤４が固定されることになる。
【００２０】
本発明に係るパチンコ機Ｐは上記構成からなり、次に遊技盤４の取付方法について説明する。透明板保持枠５を開放し、各回動機構部２７の嵌合部材３２ｂを遊技盤４を向かい受ける傾動位置に停止保持した状態で、収容凹部２１の棚受部２４上面に遊技盤４の下端部を載せる。そして、前枠３の前側に遊技盤４を配置した状態で、遊技盤４の向かって左側端部を各差込部２６に側方から差し込む。さらに、遊技盤４の向かって右側端部の上部と下部を収容凹部２１内に押し込む。
【００２１】
これにより、遊技盤４の左側では図６（イ）（ロ）に示すように遊技盤４の前面が各当接部３０に当たり、同時に各バネ板３１により遊技盤４の後面を前側へ押圧する。また、遊技盤４の右側では図７（イ）（ロ）に示すようにその上・下側端部が各嵌合部材３２ｂの後側脚３７ｂの前端面３７ｃを後方へ押動することになるので、これに伴い前側脚３７ａが下方へ回動し、また後側脚３７ｂが上方へ回動して両嵌合部材３２ｂが遊技盤４の上下側端部に嵌着する。この状態では、遊技盤４がしっかりと固定されがたつくことがない。このように、遊技盤４を収容凹部２１に押し込むのみで各嵌合部材３２ｂが自動的に遊技盤４の上・下側端部に嵌合して遊技盤４を固定することとなり、簡単に組立作業が行なえる。
【００２２】
遊技盤４が収納凹部２１に収容されるときは、図８（イ）（ロ）に示すように各位置決めピン２９が各位置決め孔２０に挿入されるので、遊技盤４が同時に正位置に配置されることとなる。これにより、前記各差込部２６及び各回動機構部２７と合せ、遊技盤４が前後・左右方向に無用に動くことがなくなる。
【００２３】
また、図９（イ）（ロ）に示すように同時に遊技盤４裏側のコネクター１９と前枠３前面のコネクター２８が互いに電気的に接続されることになり、これら動作が遊技盤４の装着と同時に自動的に行なえることになるので、従来のような遊技盤装着時の面倒な配線接続作業が不要となる。
【００２４】
装着された遊技盤４を外すには、上下部の各回動機構部２７における操作部材３２ｃを手前に回動させれば、前記にように上部の嵌合部材３２ｂが上方へ回動すると共に下部の嵌合部材３２ｂが下方へ回動して遊技盤４が前方へ外せる状態になる。前記各嵌合部材３２ｂが回動するとき、各後側脚３７ｂが遊技盤４の裏面に当接して前側へ押し出すように作用するので、遊技盤４側のコネクター１９と前枠３側のコネクター２８との接続状態が自動的に解除され、遊技盤４がそのまま前側から楽に取外せることになる。これにより、遊技盤４の取外し作業が容易に行なえる。
【図面の簡単な説明】
【００２５】
【図１】本発明が適用されるパチンコ機の正面図。
【図２】同透明板保持枠を開いた状態の斜視図。
【図３】同透明板保持枠を開き遊技盤を外した状態の斜視図。
【図４】差込部部位の一部拡大斜視図。
【図５】回動機構部部位の一部拡大斜視図。
【図６】（イ）は差込部部位の一部平面断面図（ロ）は同作用を示す一部平面断面図。
【図７】（イ）は回動機構部部位の一部側面断面図（ロ）は同作用を示す一部側面断面図。
【図８】（イ）位置決めピンと位置決め孔部位を示す平面断面図（ロ）同作用を示す平面断面図。
【図９】（イ）コネクター部位の一部平面断面図（ロ）同作用を示す一部平面断面図。
【符号の説明】
【００２６】
１      遊技機本体
４      遊技盤
１９    接続部材（コネクター）
２１    収容凹部
２６    差込部
２７    回動機構部
２８    接続部材（コネクター）
３２ｂ  嵌合部材
３２ｃ  操作部材
Ｐ      弾球遊技機（パチンコ機）
【図１】
2005168679.tif 000003
【図２】
2005168679.tif 000004
【図３】
2005168679.tif 000005
【図４】
2005168679.tif 000006
【図５】
2005168679.tif 000007
【図６】
2005168679.tif 000008
【図７】
2005168679.tif 000009
【図８】
2005168679.tif 000010
【図９】
2005168679.tif 000011